(57)【要約】【課題】  シロアリの浸入をコンクリート基礎等からなる下部構造体と土台や柱等からなる上部構造体との境で阻止することによって、特に上部構造体に断熱材を使用した建物の腐敗を防止することのできる防蟻住宅構造を提供することである。【解決手段】  斜め下方に延びる傾斜面部１２と、この傾斜面部１２の先端から内側に向かって斜め下方に折れ曲がる折返し部１３とを備えた防蟻金具１１を建物の下部構造体である基礎部２１と上部構造体である土台部２２との境界部Ｂに取り付け、前記防蟻金具１１の傾斜面部１２を前記境界部Ｂから建物の外側に向かって斜め下方に延びるように配置した。【選択図】      図１
2007254982.tif 000002
【特許請求の範囲】
【請求項１】
斜め下方に延びる傾斜面部と、この傾斜面部の先端から内側に向かって斜め下方に折れ曲がる折返し部とを備えた防蟻金具を建物の下部構造体と上部構造体との境部に取り付け、前記防蟻金具の傾斜面部を前記境部から建物の外側に向かって斜め下方に延びるように配置したことを特徴とする防蟻住宅構造。
【請求項２】
前記防蟻金具の傾斜面部及び折返し部は、建物の外周に沿って配設される請求項１記載の防蟻住宅構造。
【請求項３】
前記建物の上部構造体の外周面には上部断熱材が配設され、この上部断熱材の下端が下部構造体と上部構造体の境まで延びている請求項１記載の防蟻住宅構造。
【請求項４】
前記傾斜面部は、上部構造体と上部断熱材の下端の接触部分から外方に延びている請求項１記載の防蟻住宅構造。
【請求項５】
前記下部構造体はコンクリート基礎からなり、上部構造体の下端部は前記コンクリート基礎の上面に固定される木質土台からなる請求項１記載の防蟻住宅構造。
【請求項６】
前記下部構造体の外周に下部断熱材が配設される請求項１記載の防蟻住宅構造。
【請求項７】
前記下部断熱材は、上側断熱部と下側断熱部とに分けられ、その境に隙間が設けられている請求項６記載の防蟻住宅構造。
【発明の詳細な説明】
【技術分野】
【０００１】
本発明は、シロアリの侵入による土台や柱などの建物の腐敗を防止するための防蟻住宅構造に関するものである。
【背景技術】
【０００２】
従来、一般の木造住宅構造においては、シロアリによる土台や柱、壁等の侵食や腐敗を防止するために様々な手段がとられている。一般的には、建物の床下の土壌面に薬剤を散布したり、土台や柱などの木材部分に直接薬剤を注入あるいは吹き付けたりして駆除処理している場合が多い。一方、特許文献１に示されているように、シロアリの上方への浸入を阻止するために、コンクリート基礎等の下部構造体の内面や土壌面にシロアリを外部に誘導するための誘導ガイドを設けたものがある。この誘導ガイドは、シロアリの移動経路を変更させることで、土台や柱内への侵入を防止するものである。さらに、この特許文献１では、前記誘導ガイドとシロアリ駆除用の薬剤を併用することによって、駆除効率を高めるようにしている。
【特許文献１】特開２００５−２１０２３号公報
【発明の開示】
【発明が解決しようとする課題】
【０００３】
上記薬剤を用いた処理方法においては、その薬剤の使用量を多くしないと、有効にシロアリを駆除することができず、また、前記薬剤は時間がたつと効能が弱くなるため、一定の周期で散布を行わなければその効果が得られなくなるといった問題があった。
【０００４】
一方、特許文献１に示されているような誘導ガイドにあっては、建物の下部構造体であるコンクリート基礎の内面に張り出す突ライン部材等によって形成されているため、コンクリート基礎の表面を伝ってくるシロアリに対しては有効である。しかしながら、最近の住宅では、断熱効率を高めるために、上部構造体の外表面に断熱材を設けて構成することがある。このような断熱材には空気の循環を促進するための通気路が設けられているため、シロアリの浸入が容易となる。このため、前記断熱材を用いた住宅構造にあっては、前記誘導ガイドを設けてもシロアリの浸入を阻止することができないといった問題があった。
【０００５】
また、前記誘導ガイドは、コンクリート基礎等の下部構造体に設けられているが、この下部構造体と、土台や柱などの上部構造体の境目からシロアリが侵入することが多い。しかしながら、従来においては、このような下部構造体と上部構造体との境目から浸入するシロアリを薬剤によらずに阻止する有効な手段がなかった。
【０００６】
そこで、本発明の目的は、シロアリの浸入をコンクリート基礎等からなる下部構造体と土台や柱等からなる上部構造体との境で阻止することによって、特に上部構造体に断熱材を使用した建物の腐敗を防止することのできる防蟻住宅構造を提供するものである。
【課題を解決するための手段】
【０００７】
上記課題を解決するために、本発明の防蟻住宅構造は、斜め下方に延びる傾斜面部と、この傾斜面部の先端から内側に向かって斜め下方に折れ曲がる折返し部とを備えた防蟻金具を建物の下部構造体と上部構造体との境部に取り付け、前記防蟻金具の傾斜面部を前記境部から建物の外側に向かって斜め下方に延びるように配置したことを特徴とする。
【発明の効果】
【０００８】
本発明の防蟻住宅構造によれば、建物の下部構造体と上部構造体との境に、上部構造体から外側に向かって斜め下方に延びる傾斜面部を設けたことによって、地面に埋設されているコンクリート基礎等からなる下部構造体を介して這い上がってくるシロアリの侵入を前記傾斜面部の裏面で阻止することができる。また、前記傾斜面部の先端に折返し部を設けているため、前記傾斜面部によって阻止されたシロアリを傾斜面部の表面へ廻り込むのを防止することができる。
【発明を実施するための最良の形態】
【０００９】
以下、添付図面に基づいて、本発明に係る防蟻住宅構造の実施の形態を説明する。
【００１０】
図１は、本発明の第１実施形態の防蟻住宅構造１０における施工例を示す断面図である。この防蟻住宅構造１０は、下部構造体と、この下部構造体の上に建てられる上部構造体とからなっている。前記下部構造体は、地中に一部が埋設して施工されるコンクリート製の基礎部２１で構成されている。前記上部構造体は、前記基礎部２１の上に設けられる木質の土台部２２やこの土台部２２を基礎として組まれる根太２７や柱部２８等によって構成される躯体構造物からなる。また、前記上部構造体の外周は、室内の温度や湿度を快適に維持するために、上部断熱材２５を挟んだ外装パネル２３によって囲われている。前記上部断熱材２５は、その下端が前記基礎部２１と土台部２２の境（境界部）Ｂまで延びて配設されている。さらに、シロアリの浸入を阻止するための防蟻金具１１が前記基礎部２１と土台部２２との境界部Ｂに設けられる。
【００１１】
前記防蟻金具１１は、図２及び図３に示したように、地表面Ｇから這い上がってくるシロアリを外部に誘導する傾斜面部１２と、この傾斜面部１２の先端部を折り返した折返し部１３とを備え、前記傾斜面部１２には上部断熱材２５と略同じ厚み幅の平坦面部１２ａ及びこの平坦面部１２ａの一端から略直角に折れ曲がる取付部１４とで一体に形成される。図１に示したように、前記防蟻金具１１は、前記平坦面部１２ａが上部断熱材２５の下端面２５ｂに当たるように、前記取付部１４によって上部断熱材２５の内側面２５ａに取り付けられる。これによって、前記平坦面部１２ａ及び傾斜面部１２が土台部２２と上部断熱材２５の下端の接触部分から外方に延びるように配設される。この防蟻金具１１は、耐腐食性を有した金属又はプラスチック材料によって形成され、前記上部構造体の外周を全て囲うようにして配置される。図１に示したように、前記防蟻金具１１は、外装パネル２３の内側に通気路２４を挟んで設置されるロックウール等の上部断熱材２５の下端に取り付けられる。通常、前記外装パネル２３の下端には水切り３０が取り付けられるため、この水切り３０と前記防蟻金具１１との二重構造によって、シロアリの上部構造体への阻止を完全なものとすることができる。
【００１２】
図４に示したように、前記平坦面部１２ａは横幅Ｘが一枚の上部断熱材２５の横幅と同じで、上部断熱材２５の厚みと略同じ厚み幅に形成され、傾斜面部１２は前記上部断熱材２５の外側面２５ｄの下端から外側に向けて所定の角度で下向きに突き出すようにして配設される。前記折返し部１３は、前記傾斜面部１２を下降するシロアリを受け止めると共に、前記外装パネル２３から突出している先端部分での接触によるケガ等を防止するために設けられる。前記取付部１４は、前記平坦面部１２ａの一端を延長し、この延長部分を折曲げ加工することによって形成される。この取付部１４は、前記上部断熱材２５の内側面２５ａに沿って接着剤やボルトなどによって取り付け固定される。
【００１３】
前記防蟻金具１１は、図２に示したように、前記上部断熱材２５の横幅と同じ横幅サイズを有した長方形状の一枚の金属平板を形成し、この金属平板の両長辺側の端部を所定幅及び所定角度に折曲げる。これによって、図３に示したような幅及び角度を有した取付部１４及び折返し部１３が前記傾斜面部１２の上下方向に一体に形成される。図５は、前記防蟻金具１１の取り付け方法及び取り付け状態を示したものである。この防蟻金具１１は、図５（ａ）に示されるように、平坦面部１２ａの上面が上部断熱材２５の下端面２５ｂと対向するように位置を合わせ、上部断熱材２５の角部２５ｃに平坦面部１２ａの折曲部１２ｂが接触するようにして重ね合わせる。そして、図５（ｂ）に示されるように、取付部１４を上部断熱材２５の内側面２５ａに沿って重ね合わせて固定する。この防蟻金具１１は、外気の気温や湿度等の外部環境や雨風等に直接さらされているため、丈夫で腐食等が発生しにくいステンレス等の金属材料又は硬質プラスチック材料で形成するのが望ましい。また、前記傾斜面部１２の角度を平坦面部１２ａに対して下向きに大きく設定したり、前記傾斜面部１２を凹凸のない平滑面に加工したり、前記平坦面部１２ａ及び傾斜面部１２の裏面側にすべりやすいコーティング材を塗布したりすることによって、シロアリの這い上がりを効果的に阻止することができる。
【００１４】
前記防蟻金具１１の形成例としては、図３に示したように、前記上部断熱材２５の厚みが５０ｍｍである場合は、前記平坦面部１２ａの厚み幅Ｙ１が上部断熱材２５の厚みと同じ５０ｍｍに設定され、前記傾斜面部１２の張出幅Ｙ２が４０ｍｍ程度、取付部１４の縦幅Ｚが４５ｍｍ程度である。また、前記上部断熱材２５の厚みが３０ｍｍであれば、前記平坦面部１２ａの厚み幅Ｙ１が上部断熱材２５の厚みと同じ３０ｍｍに設定され、傾斜面部１２の張出幅Ｙ２は３０ｍｍ程度に形成するのが好ましい。また、前記傾斜面部１２の傾斜角は、前記上部断熱材２５と直交するラインを基準にして下方向に０〜３０度の範囲で傾斜させるのが好ましい。前記折返し部１３は、前記傾斜面部１２の先端部から前記上部断熱材２５に向かうような角度で折れ曲がればよい。このため、図６（ａ），（ｂ）に示すように、断面が半円形状の折返し部１３ａや断面がＬ字形状の折返し部１３ｂのような形状でもよい。
【００１５】
前記防蟻金具１１は、上部断熱材２５のサイズ等に応じて個別に量産可能であると共に、取り付けや取り外しが容易である。このため、住宅の建築現場で組み立てる以外に、工場などで一括して組立生産することが可能となる。また、この防蟻金具１１は、平坦面部１２ａ、傾斜面部１２、折返し部１３及び取付部１４が一枚の金属板を折曲げ加工することによって一体形成されるので、前記傾斜面部１２の傾斜角度を現場の設置状態に応じて適宜調整することもできる。
【００１６】
次に、図７に第２実施形態の防蟻住宅構造２０における施工例を示す。この防蟻住宅構造２０は、前述したような上部構造体に設けられる上部断熱材２５と共に、基礎部２１での断熱効果を得るために、下部断熱材３５を併せて配設している。そして、前記基礎部２１と土台部２２との間に第１の防蟻対策となる前記防蟻金具１１が設けられ、基礎部２１には第２の防蟻対策となる下部断熱材３５を分断した溝部４１が設けられている。
【００１７】
前記防蟻金具１１は、前記上部断熱材２５の内側面２５ａに沿って固定される取付部１４と、この取付部１４から略直角に折れ曲がる平坦面部１２ａと、この平坦面部１２ａから延び、前記上部断熱材２５の外側面２５ｄから外方下方に傾斜して突き出すようにして延びる傾斜面部１２と、この傾斜面部１２の先端部を内側に折り曲げた折返し部１３とによって形成されている。そして、前記防蟻金具１１の平坦面部１２ａの下方には基礎部２１の外表面を覆う下部断熱材３５の上端が前記平坦面部１２ａの裏面に接するように隙間なく配設される。
【００１８】
この防蟻金具１１を設けることによって、基礎部２１と土台部２２をそれぞれ覆う下部断熱材３５と土台部２２の上方を覆う上部断熱材２５とが前記基礎部２１と土台部２２との境で分断することができる。このように、前記上部断熱材２５，３５の基礎部２１と土台部２２とが連続する部分を遮断することで、地表面Ｇから基礎部２１を上方に向かって這い上がってくるシロアリを土台部２２やその上方に建てられている柱や壁内に浸入するのを有効に阻止することができる。
【００１９】
前記溝部４１は、前記基礎部２１を覆う下部断熱材３５を上側断熱部３５ａと下側断熱部３５ｂとに分離するもので、地表面Ｇに沿って露出する部分を境にして設けられる。この溝部４１は、前記防蟻金具１１と併用することによって、シロアリの阻止率を向上させるものであり、前記下部断熱材３５の周囲を３０〜６０ｍｍ程度の縦幅で一周して設けられる。
【００２０】
上記防蟻住宅構造２０によれば、図８に示したように、前記溝部４１によって地表面Ｇから下側断熱部３５ｂに侵入したシロアリＡを一旦抑え込んで、上側断熱部３５ａ内へ侵入する数を低減させることができる。そして、前記上側断熱部３５ａ内にシロアリＡが矢印方向に侵入したとしても、基礎部２１と土台部２２との境界部に配設されている前記防蟻金具１１によって土台部２２の外表面を覆う上部断熱材２５内への浸入を阻止することができる。このように、前記溝部４１を設けることで、前記防蟻金具１１によるシロアリＡの阻止率を高めることができる。なお、前記下部断熱材３５の外表面には、前記溝部４１を塞ぐようにしてモルタル３７で塗装される。
【００２１】
上記防蟻金具１１や溝部４１を取り入れた防蟻住宅構造２０によれば、シロアリは勿論のこと、その他の害虫の浸入も有効に阻止することができる。また、前記防蟻金具１１の傾斜面部１２上に隙間を有しているため、上部断熱材２５と外装パネル２３との間に設けられている通気路２４内への外気の循環を損なうことがないので、カビやダニ等の発生を抑え、断熱効果も十分保持することができる。また、前記防蟻金具１１は、図１及び図７に示されるように、外装パネル２３の下端に設けられている水切り３０の内側に配設することによって、外から遮蔽されるので、住宅の外観を損なうことがない。
【図面の簡単な説明】
【００２２】
【図１】本発明に係る防蟻住宅構造の第１実施形態の要部断面図である。
【図２】上記防蟻住宅構造を構成する防蟻金具の斜視図である。
【図３】上記防蟻金具の断面図である。
【図４】上記防蟻金具を取り付けた断熱材の斜視図である。
【図５】上記防蟻金具の取り付け例を示す説明図である。
【図６】上記防蟻金具の折返し部の他の形状を示す断面図である。
【図７】本発明に係る防蟻住宅構造の第２実施形態の要部断面図である。
【図８】上記防蟻住宅構造におけるシロアリの浸入経路を示す説明図である。
【符号の説明】
【００２３】
１０  防蟻住宅構造
１１  防蟻金具
１２  傾斜面部
１２ａ  平坦面部
１２ｂ  折曲部
１３  折返し部
１３ａ  折返し部
１３ｂ  折返し部
１４  取付部
２０  防蟻住宅構造
２１  基礎部
２２  土台部
２３  外装パネル
２４  通気路
２５  上部断熱材
２５ａ  内側面
２５ｂ  下端面
２５ｃ  角部
２５ｄ  外側面
２７  根太
２８  柱部
３０  水切り
３５  下部断熱材
３５ａ  上側断熱部
３５ｂ  下側断熱部
３７  モルタル
４１  溝部
Ｂ  境界部
Ｇ  地表面
Ｘ  横幅
Ｙ１  厚み幅
Ｙ２  張出幅
【図１】
2007254982.tif 000003
【図２】
2007254982.tif 000004
【図３】
2007254982.tif 000005
【図４】
2007254982.tif 000006
【図５】
2007254982.tif 000007
【図６】
2007254982.tif 000008
【図７】
2007254982.tif 000009
【図８】
2007254982.tif 000010